(57)【要約】 【課題】仮設足場の床と建築物のベランダ等の床との間の移動のために工事用梯子装置を建築物の手摺から離間させて設置するとともに、梯子装置を日々の作業終了時に簡易に回収し且つ作業開始時に簡易に再設置し得るようにする。 【解決手段】梯子装置(1)は、仮設足場(C)の鋼製踏板(N)に着脱可能に取付けられる踏板部(2)と、踏板部に回動可能に支持され、使用時に起立位置に固定される手掛り棒(3)と、踏板部に回動可能に支持される長さ調節可能な梯子部(4)とを有する。梯子部は、使用時にベランダ(B)の床(F)に接地し、不使用時に上方に回動してベランダの屋外側に退避し得る。また、梯子部を踏板部に上下動可能に取付け、梯子部を不使用時にベランダの上方域に退避させるように構成しても良い。【選択図】図１
2018009335.tif 000002
【特許請求の範囲】
【請求項１】
仮設足場の床と、建築物の外壁廻りの屋外開放空間の床との間の昇降移動のために、建築物の外周部分の手摺又は起立部を跨いで設置される工事用梯子装置において、
仮設足場の床板又は床版に着脱可能に取付けられる面状基板部と、
該基板部の支軸又は支持具に回動可能又は移動可能に支持され、使用時に前記屋外開放空間の床に接地するように長さを調節可能にした梯子部とを有し、
該梯子部は、不使用時に上方に回動し又は移動して前記手摺又は起立部の屋外側又は前記床の上方域に退避するように、実質的に水平な前記支軸の軸線を中心に前記基板部に回動可能に支持され、或いは、前記支持具によって上下方向に相対移動可能又はスライド可能に支持されており、
前記基板部は、前記床板又は床版の水平上面を面状支承体として使用すべく、該水平上面に面状に接触する水平且つ面状の被支承面を備えており、この被支承面は、前記床板又は床版の奥行寸法以上の奥行寸法を有し且つ前記梯子部の幅寸法以上の幅寸法を有することを特徴とする工事用梯子装置。
【請求項２】
前記梯子装置は、前記基板部又は梯子部に支持された手摺部材を更に有し、該手摺部材は、前記基板部又は梯子部によって回動可能又は相対移動可能に支持され且つ使用時に起立位置又は立設位置に保持されることを特徴とする請求項１に記載の工事用梯子装置。
【請求項３】
前記基板部は、前記床板又は床版の上面及び側面を被覆する形態を有し、該床板又は床版の側面を押圧する固定具と、該固定具の反対側において前記床板又は踏板の側縁部に係止する係止部とを備えることを特徴とする請求項１又は２に記載の工事用梯子装置。
【請求項４】
仮設足場の床と、建築物の外壁廻りの屋外開放空間の床との間の移動のために設置される工事用梯子装置の支持方法において、
仮設足場の床板又は床版の水平上面に接触する水平且つ面状の被支承面を有する面状基板部を前記床板又は床版に着脱可能に取付け、
前記被支承面の奥行寸法及び幅寸法を夫々、前記床板又は床版の奥行寸法以上の寸法および前記梯子部の幅寸法以上の寸法に設定して、該被支承面を支承する面状支承体として前記床板又は床版を使用し、
前記屋外開放空間の床に接地する梯子部をその不使用時に上方に回動させ又は移動させて前記手摺又は起立部の屋外側又は前記床の上方域に退避させるように、実質的に水平な軸線を有する前記基板部の支軸によって、前記梯子部を回動可能に支持し、或いは、前記梯子部を上下方向に相対移動可能又はスライド可能に支持する前記基板の支持具によって、該梯子部を上下動可能に支持することを特徴とする工事用梯子装置の支持方法。
【請求項５】
手摺部材を前記基板部又は前記梯子部によって回動可能又は相対移動可能に支持し、梯子装置の不使用時又は撤去時に前記手摺部材を前記基板部又は前記梯子部と平行な位置に回動させるとともに、梯子装置の使用時に前記手摺部材を起立位置又は立設位置に保持することを特徴とする請求項４に記載の支持方法。
【請求項６】
前記基板部によって前記床板又は床版の上面及び側面を被覆し、該床板又は床版の側面を押圧して、前記床板又は踏板の側縁部に前記基板部を係止せしめることを特徴とする請求項４又は５に記載の支持方法。
【発明の詳細な説明】
【技術分野】
【０００１】
本発明は、工事用梯子装置及びその支持方法に関するものであり、より詳細には、集合住宅の改修工事等において作業者等が仮設足場と建築物のベランダ等との間を昇降移動するために建築物のベランダ等に設置される工事用梯子装置及びその支持方法に関するものである。
【背景技術】
【０００２】
一般に、集合住宅等のベランダ又はバルコニーには、隣戸間又は隣室間の境界等に簡易な境界壁が配設される。境界壁は、普通は、住戸間の戸境壁の延長線上に配置され、プライバシー確保等のためにベランダ領域を個々の住戸毎又は室毎に区画する。このような境界壁は、隔て板、蹴破り戸、隔て壁、仕切り板、戸境扉等の様々な名称で呼ばれているが、いずれも、火災時等の非常時にベランダ側に非難経路を形成すべく、住人等が壁を破壊又は開放して隣戸又は隣室のベランダに容易に避難し得る構造を有する。例えば、境界壁は、平常時には、各住戸のベランダ領域を隣戸のベランダ領域から区画する簡易な戸境壁として機能するが、比較的小さな人の力で蹴破り又は破壊し得る強度又は耐力の板体で設計されており、火災時等の非常時に壁を破壊又は開放することにより、複数の住戸等に跨がる連続的な避難通路としてベランダを使用することができる。
【０００３】
一般に、集合住宅の大規模改修工事等においては、建物の外周域に工事用仮設足場が設置される。ベランダ又はバルコニーの床・壁の補修、防水工事、塗装工事等を実施する場合、各住戸又は各世帯のベランダ領域が境界壁によって区画されているので、改修工事の作業者等が隣戸のベランダ間で移動するには、その都度、仮設足場に戻り、仮設足場の作業通路を介して隣戸のベランダに移動する必要がある。このような隣戸ベランダ間の移動のため、作業者等は、足場とベランダとの間に昇降用の脚立又は梯子を設置して、足場及びベランダの間を昇降移動するが、脚立又は梯子の不安定性や、脚立又は梯子を各住戸のベランダ毎に設置する作業の手間、時間、煩わしさ等より、脚立又は梯子を使用せずにベランダに飛び下りたり、ベランダの手摺を利用して足場によじ登るといった行為が、作業の実態として生じている。しかし、作業者等が手摺を利用して足場によじ登る際等に、手摺の損傷、変形又は破損等が生じたり、手摺の汚れ、傷等が発生することがあり、また、作業者の安全を考慮しても、このような昇降移動の形態は、望ましくない。
【０００４】
仮設足場とベランダとの間の移動のために比較的容易にベランダに設置可能な梯子装置が、登録実用新案公報３１８８９２８号に記載されている。この梯子装置は、ベランダの床に脚部を接地可能な梯子部分と、ベランダの手摺の笠木に載置可能な踏板部分と、踏板部分を笠木に固定するための固定手段とから構成される。梯子装置は、上部及び下部を笠木及び床で支承される二点支持の支持形態を有するので、比較的安定した昇降移動経路が形成される。
【０００５】
また、梯子支持用の単管パイプを仮設足場に水平に架設し、梯子の踏板部分又は桁材の足場側端部をクランプ部材によって単管パイプに緊締する形式の工事用梯子装置が知られている。この梯子装置は、仮設足場の骨組を構成する管材と、ベランダの床とによって梯子を二点支持する支持形態を有する。
【先行技術文献】
【特許文献】
【０００６】
【特許文献１】登録実用新案公報３１８８９２８号
【発明の概要】
【発明が解決しようとする課題】
【０００７】
しかしながら、集合住宅等のベランダの手摺として、アルミ合金製手摺、ステンレス合金製手摺等の金属製手摺が広く使用されており、この種の手摺は、一般に、梯子及び作業者の荷重に耐える強度を有しない。このため、梯子の踏板部分をベランダの手摺によって支持する上記梯子装置を使用した場合、作業者の昇降時に比較的大きな荷重がベランダの手摺に作用して手摺が撓み又は局所変形し、或いは、踏板部分と接触する手摺の笠木部分が損傷する事態が懸念される。
【０００８】
また、このような梯子装置を鉄筋コンクリート構造の手摺に使用した場合を想定したとしても、踏板等と接触した手摺の笠木部分に痕跡又は傷跡等が残る可能性が高く、その補修が必要となるといった問題が生じると考えられる。このため、建物の手摺に梯子装置の荷重又は負荷が作用しない梯子装置の構造を採用することが望ましい。
【０００９】
これに対し、上部又は足場側端部をクランプ部材によって仮設足場の骨組に緊締し、仮設足場の骨組とベランダの床とによって梯子を支持する上記構成の梯子装置は、建物の手摺に荷重又は負荷を課さないという点において有利である。しかしながら、この形式の梯子装置を集合住宅の改修工事等において使用することを想定すると、改修工事の作業日程が数日又は数週間に及ぶ場合には、毎日の作業終了時に梯子装置を撤去・回収して翌日の作業開始時に梯子装置を再設置する必要が生じると考えられる。これは、作業時間帯以外の時間帯に梯子装置を使用可能な状態で放置すると、夜間又は早朝等に住民等が梯子装置を昇降し、何らかの問題が生じることが懸念されるためである。
【００１０】
しかるに、上端部又は足場側端部を仮設足場の骨組に緊締する従来の梯子装置は、比較的高剛性の構造を有するので、嵩及び重量も比較的大きく、このため、毎日の作業の終了時に梯子装置を撤去・回収し且つ翌日の作業開始時に梯子装置を再設置する作業には適していない。即ち、この形式の梯子装置を日々の作業終了時に簡易に撤去・回収し且つ日々の作業開始時に簡易に再設置することは、実務的に極めて困難であり、仮に実施し得たとしても、これは、作業者等にとって、かなり大きな作業上の負担となるであろう。
【００１１】
本発明は、このような課題に鑑みてなされたものであり、その目的とするところは、仮設足場の床と、建築物のベランダ等との間の移動のために設置される工事用梯子装置において、建築物の手摺から離間して手摺に荷重又は負荷を課さず、しかも、日々の作業終了時に簡易に回収し且つ作業開始時に簡易に再設置し得る構造を有する工事用梯子装置を提供することにある。
【００１２】
本発明は又、仮設足場の床と、建築物のベランダ等との間の移動のための工事用梯子装置を支持する支持方法において、建築物の手摺から離間して手摺に荷重又は負荷を課さず、しかも、日々の作業終了時に簡易に回収し且つ作業開始時に簡易に再設置し得る工事用梯子装置の支持方法を提供することを目的とする。
【課題を解決するための手段】
【００１３】
上記目的を達成すべく、本発明は、仮設足場の床と、建築物の外壁廻りの屋外開放空間の床との間の昇降移動のために、建築物の外周部分の手摺又は起立部を跨いで設置される工事用梯子装置において、
仮設足場の床板又は床版に着脱可能に取付けられる面状基板部と、
該基板部の支軸又は支持具に回動可能又は移動可能に支持され、使用時に前記屋外開放空間の床に接地するように長さを調節可能にした梯子部とを有し、
該梯子部は、不使用時に上方に回動し又は移動して前記手摺又は起立部の屋外側又は前記床の上方域に退避するように、実質的に水平な前記支軸の軸線を中心に前記基板部に回動可能に支持され、或いは、前記支持具によって上下方向に相対移動可能又はスライド可能に支持されており、
前記基板部は、前記床板又は床版の水平上面を面状支承体として使用すべく、該水平上面に面状に接触する水平且つ面状の被支承面を備えており、この被支承面は、前記床板又は床版の奥行寸法以上の奥行寸法を有し且つ前記梯子部の幅寸法以上の幅寸法を有することを特徴とする工事用梯子装置を提供する。
【００１４】
なお、「建築物の外壁廻りの屋外開放空間」は、屋外に開放し、手摺や、パラペット等の起立部によって屋外空間又は屋外環境から区分された建築物の空間であり、具体的には、建築物のベランダ、バルコニー又は屋上等を意味する。また、「仮設足場の床板又は床版」は、枠組足場、単管足場、楔足場等の作業床を構成する金属製踏板、金属製足場板、木製足場板等の床部材を意味する。
【００１５】
本発明の上記構成によれば、梯子装置は、ベランダ等の床に接地する梯子部を有し、床に接地した梯子部の上部は、基板部に回動可能又は移動可能に支持される。従って、梯子装置は、建築物の手摺等から離間し、梯子装置の荷重又は負荷は、手摺等に作用しない。
【００１６】
また、上記基板部は、仮設足場の床部材に面状に接触して仮設足場に支承されるので、仮設足場の床部材に作用する梯子装置の荷重は、局所荷重として仮設足場に作用することなく、比較的大きな面積に分散して仮設足場の床部材に作用する。このため、仮設足場を構成する床部材は、局所荷重により過大に変形することなく、梯子装置の荷重を効果的に支持することができる。
【００１７】
更に、上記梯子部は、不使用時に上方に回動又は移動して、手摺又は起立部の屋外側に退避し、或いは、ベランダ等の床の上方域に退避することができるので、日々の作業終了時に梯子部を屋外側又は上方に退避させ、作業開始時に梯子部を屋内側又は下方に回動又は移動させれば良い。従って、上記構成の梯子装置によれば、日々の作業終了時及び作業開始時に生じ得る梯子装置の撤去及び再設置の作業を省略することができるので、実用的に極めて有利である。
【００１８】
他の観点より、本発明は、仮設足場の床と、建築物の外壁廻りの屋外開放空間の床との間の移動のために設置される工事用梯子装置の支持方法において、
仮設足場の床板又は床版の水平上面に接触する水平且つ面状の被支承面を有する面状基板部を前記床板又は床版に着脱可能に取付け、
前記被支承面の奥行寸法及び幅寸法を夫々、前記床板又は床版の奥行寸法以上の寸法および前記梯子部の幅寸法以上の寸法に設定して、該被支承面を支承する面状支承体として前記床板又は床版を使用し、
前記屋外開放空間の床に接地する梯子部をその不使用時に上方に回動させ又は移動させて前記手摺又は起立部の屋外側又は前記床の上方域に退避させるように、実質的に水平な軸線を有する前記基板部の支軸によって、前記梯子部を回動可能に支持し、或いは、前記梯子部を上下方向に相対移動可能又はスライド可能に支持する前記基板の支持具によって、該梯子部を上下動可能に支持することを特徴とする工事用梯子装置の支持方法を提供する。
【００１９】
好ましくは、上記梯子装置は、上記基板部又は梯子部に支持された手掛り棒等の手摺部材を有し、手摺部材は、基板部又は梯子部によって回動可能又は相対移動可能に支持され且つ使用時に起立位置又は立設位置に保持される。更に好ましくは、上記基板部、梯子部及び手摺部材は、梯子部及び手摺部材を基板部と平行な位置に回動することができるように構成されており、梯子装置は、不使用時又は撤去時に極めてコンパクトに収納又は格納することができる。好適には、梯子部、基板部及び手摺部材は、梯子装置の可搬性を重視し、比較的軽量な合金製部品（例えば、アルミニウム合金製部品）により製作され、梯子装置の重量は、１５ｋｇ以下、好ましくは、１２ｋｇ以下に設定される。
【００２０】
本発明の好適な実施形態において、上記基板部は、踏板又は足場板の上面及び側面を被覆する形態を有し、踏板又は足場板の側面を押圧する固定具と、固定具の反対側において踏板又は足場板の側縁部に係止する係止爪等の係止部とを備える。基板部は、固定具の押圧力によって踏板又は足場板に対して相対変位し、係止部は、踏板又は足場板に係合して基板部の浮き上がり又は上方変位を阻止する。好ましくは、押圧具は、インパクトレンチ等の締付け力で踏板又は足場板の側面を押圧するように構成される。
【発明の効果】
【００２１】
本発明の工事用梯子装置によれば、仮設足場の床と、建築物のベランダ等との間の移動のために設置される工事用梯子装置に関し、建築物の手摺から離間して手摺に荷重又は負荷を課さず、しかも、日々の作業終了時に梯子装置を簡易に回収し且つ作業開始時に梯子装置を簡易に再設置することが可能となる。
【００２２】
本発明に係る工事用梯子装置の支持方法によれば、仮設足場の床と、建築物のベランダ等との間の移動のための工事用梯子装置を支持する支持方法に関し、建築物の手摺から離間して手摺に荷重又は負荷を課さず、しかも、日々の作業終了時に梯子装置を簡易に回収し且つ作業開始時に梯子装置を簡易に再設置することが可能となる。
【図面の簡単な説明】
【００２３】
【図１】図１は、本発明の好適な実施形態に係る工事用梯子装置の全体構成及び使用形態を示す側面図である。
【図２】図２（Ａ）は、図１に示す梯子装置の構造を示す側面図であり、図２（Ｂ）は、図２（Ａ）に示す踏板部の拡大断面図である。
【図３】図３は、図１及び図２に示す梯子装置の正面図である。
【図４】図４（Ａ）は、図１〜図３に示す梯子装置の部分平面図であり、図４（Ｂ）は、踏板部の部分拡大平面図である。
【図５】図５は、梯子装置の踏板部を仮設足場の鋼製踏板に取付ける態様を示す断面図である。
【図６】図６は、回収・撤去時の梯子装置の収納方法及び収納形態を示す断面図及び側面図である。
【図７】図７は、本発明の他の実施形態に係る工事用梯子装置の全体構成及び使用形態を示す側面図であり、ベランダに設置した梯子装置を回収・撤去する過程が示されている。
【図８】図８は、図７に示す梯子装置の側面図及び平面図であり、図７に示す過程に後続する梯子装置の回収・撤去過程が示されている。
【発明を実施するための形態】
【００２４】
以下、添付図面を参照して、本発明の好適な実施形態について詳細に説明する。 
【００２５】
図１は、本発明の好適な実施形態に係る工事用梯子装置の構成及び使用形態を示す側面図である。
【００２６】
図１には、建築物ＡのベランダＢの屋外側に建築工事用の仮設足場Ｃを設置した状態が示されている。建築物Ａは、例えば、鉄筋コンクリート構造の集合住宅であり、仮設足場Ｃは、例えば、集合宅の大規模修繕工事のために建築物Ａの外壁面近傍に設置された枠組足場である。ベランダＢは、金属製手摺Ｄ及び境界壁Ｅを備える。ベランダＢの床Ｆは、外壁部分Ｇから外方に延出した片持ち支持（キャンチレバー）形式の鉄筋コンクリート構造の床版である。
【００２７】
仮設足場Ｃは、建枠Ｋ及び鋼製踏板Ｍ等を工事現場等で組立てる構成を有する汎用の枠組足場である。仮設足場Ｃは、建枠ＫからベランダＢの側に突出して鋼製踏板Ｎを支持する片持ち支持（キャンチレバー）形式の伸縮ブラケットＪを有する。ブラケットＪは、手摺Ｄの若干上方の高さ位置に鋼製踏板Ｎを支持する。
【００２８】
ベランダＢに設置される手摺Ｄの天端レベル（笠木上面レベル）Ｌ１は、一般に、ベランダＢの床面から１１００〜１１５０mm程度の高さ位置に設定される。鋼製踏板Ｎは、手摺Ｄの天端レベルＬ１よりも若干高いレベルＬ２に配置される。レベルＬ１：Ｌ２の高低差は、好ましくは、１５０〜５００mmの範囲内（例えば、約２５０mm）に設定される。なお、図１には、鋼製踏板Ｎを鋼製踏板Ｍの高さ位置よりも若干低い位置に配置した構成（下階のベランダに図示）と、鋼製踏板Ｎを鋼製踏板Ｍの高さ位置よりも若干高い位置に配置した構成（上階のベランダに図示）とが例示されている。
【００２９】
梯子装置１の踏板部２が鋼製踏板Ｎに取付けられ、仮設足場１よって支持される。梯子装置１は、踏板部２に鉛直に立設された円形断面の管体からなる手掛り棒３と、踏板部２から斜め下方に延び、接地部５において床Ｆに接地した梯子部４とを有する。梯子装置１は、アルミニウム合金製部品を一体的に組付けてなる比較的軽量な金属部品の組立体からなる。好ましくは、作業者等が梯子装置１を比較的容易に携帯し、搬送し、移動し又は移設し得るように、梯子装置１の全体重量は、１０〜１５ｋｇ、例えば、１２ｋｇに設定される。
【００３０】
手掛り棒３は、梯子装置１の昇降時に作業者等が手指で把持又は握持する手摺部材として機能する。踏板部２は、鋼製踏板Ｎに着脱可能に取付けられる面状基板部を構成する。後述するとおり、踏板部２は、鋼製踏板Ｎの水平上面を面状支承体として使用すべく、鋼製踏板Ｎの水平上面に面状に接触する水平且つ面状の被支承面を有し、この被支承面は、鋼製踏板Ｎの奥行寸法以上の奥行寸法を有し、梯子部４の幅寸法以上の幅寸法を有する。
【００３１】
上記のとおり、踏板部２は、鋼製踏板Ｎに支持され、梯子部４の接地部５が床Ｆの上面に接地して床Ｆに支承される。梯子装置１は、手摺Ｄから離間しており、梯子装置１の自重及び昇降荷重（昇降する人の荷重）は、手摺Ｄに全く作用せず、梯子装置１の自重及び昇降荷重は、鋼製踏板Ｎ及び床Ｆによって支持される。従って、梯子装置１は、比較的安定した支持形態で仮設足場Ｃ及び床Ｆの間に架設される。
【００３２】
梯子部４の上端部は、踏板部２の水平支軸６によって枢支されており、図１に矢印で示す如く、水平支軸６の水平軸線を中心として上下方向に回動し、梯子部４を不使用時の退避位置（図１に破線で示す）に上昇させることができる。踏板部２は、概ね１８０°回動した退避位置の梯子部４を係止又は係留する係止具又は係留具（図示せず）を有する。
【００３３】
手掛り棒３も又、水平支軸７によって踏板部２に枢着しており、支軸７の水平軸線を中心に矢印で示す如く回動する。従って、梯子装置１の使用時には、図１に示す垂直位置に起立させ、梯子装置１の不使用時（撤去後）には、手掛り棒３を水平位置まで傾倒させることができる。
【００３４】
図２、３及び４は、梯子装置の構造を示す側面図、正面図及び平面図であり、図２及び図４は、部分拡大図を含む。また、図５は、仮設足場の鋼製踏板と梯子装置の踏板部との関係を示す拡大断面図である。
【００３５】
図２〜図４には、梯子装置１の構造が具体的に示されている。図２に示す如く、踏板部２は、固定具８によって鋼製踏板Ｎに一体的に組付けられ、鋼製踏板Ｎの上面及び側面を被覆するように鋼製踏板Ｎと一体化する。図５には、鋼製踏板Ｎに対する踏板部２の取付方法が示されている。図５（Ａ）に示す如く、踏板部２は、水平板部分２０、係止爪２１、補強部材２２及び固定具螺合部２３を備える。固定具８は、鋼製踏板Ｎの側面に当接可能な硬質ゴム等の弾性体を備えた拡大先端部８１と、螺合部２３に螺合した螺子部８２と、インパクトレンチ又はトルクレンチ等の締付け工具（図示せず）に係合可能なヘッド部８３とを備える。
【００３６】
梯子装置１を仮設足場Ｃに設置する際には、図５（Ａ）及び図５（Ｂ）に示す如く、踏板部２の水平板部分２０が、鋼製踏板Ｎの上側から鋼製踏板Ｎの水平上面に載置される。水平部分２０の下面２０ａは、鋼製踏板Ｎの上面に概ね面状に接触する。図５（Ｂ）に示す如く、固定具８をインパクトレンチ等の締付け工具によって堅固に締付け、拡大先端部８１によって矢印Ｐ方向に鋼製踏板Ｎを押圧すると、踏板部２は、その反作用（反力）により、図５（Ｂ）に矢印Ｑで示す方向に相対変位し、この結果、踏板部２の係止爪２１は、鋼製踏板Ｎの縁部に係止する。かくして、踏板部２は、固定具８の締付け力と、係止爪２１及び鋼製踏板Ｎの係合により、鋼製踏板Ｎに一体的に支持され、踏板部２の下面２０ａは、面状の被支承面を構成し、鋼製踏板Ｎは、踏板部２の下面２０ａを面状に支承する面状支承体を構成する。
【００３７】
図３及び図４に示す如く、ブラケット組立体２５、２６が、踏板部２の左端部及び右端部に夫々配置される。ブラケット組立体２５は、左右一対の鉛直起立板２５ａ：２５ｂを有し、起立板２５ａ：２５ｂは、梯子部４を枢支するための水平支軸６を支持する。ブラケット組立体２６は、左右一対の鉛直起立板２６ａ：２６ｂを有し、起立板２６ａ：２６ｂは、手掛り棒３を枢支するための水平支軸７を支持する。
【００３８】
図３に示すように、梯子部４は、左右一対の伸縮式支柱（側桁）４０を有する。複数の踏桟（踏み板、段板）４１が、左右の支柱４０によって支持される。支柱４０及び踏桟４１は、梯子部４の縦木及び横木を構成する。支柱４０は、角形断面且つ二重管構造の伸縮式支柱であり、外管４２と、外管４２の下端部から下方に突出する内管４３とを有する。外管４２の上端部は、上記のとおり、水平支軸６によって踏板部２に回動可能に支持される。内管４３は、接地部５が床Ｆに接地するように外管４２の下端部から延出する。接地部５は、ゴム、樹脂、エラストマー等の弾性材料で被覆されており、適度な弾力性を保持した状態で床Ｆに接地する。内管４３の伸長量Δｈは、例えば、最大約４５０mmに設定される。伸長量Δｈは、伸縮量調節手段（図示せず）により、例えば、２０段階に調節することができる。なお、伸縮量調節手段は、入れ子式伸縮構造の支柱において一般に採用される公知の伸縮調節機構で構成されるので、更なる詳細な説明は、省略する。
【００３９】
図２〜図４には、踏板部２の幅Ｗ１及び奥行Ｓ１と、鋼製踏板Ｎの奥行Ｓ２とが示されている。図３及び図４には、梯子部４の幅（左右の支柱４０の間隔）Ｗ２と、左右の手掛り棒３の間隔Ｗ３とが示されている。踏板部２は、床板又は床版の奥行Ｓ２以上の奥行Ｓ１を有し、梯子部４の幅Ｗ２以上（本実施形態では手掛り棒３の間隔Ｗ３以上）の幅Ｗ１を有する。踏板部２の下面２０ａ（図５）、即ち、梯子装置１の被支承面は、比較的大きな面積で鋼製踏板Ｎの上面、即ち、面状支承体の支承面に支承されるので、梯子装置１の荷重は、局所荷重として仮設足場Ｃに作用することなく、比較的大きな面積に分散して仮設足場Ｃに作用する。このため、仮設足場Ｃは、局所荷重により局所的に変形することなく、梯子装置１の荷重を効果的に支持することができる。
【００４０】
図６は、梯子装置１の回収時（撤去時）に梯子装置を収納する態様を示す断面図及び側面図である。
【００４１】
図６（Ａ）及び図６（Ｂ）に示す如く、手掛り棒３及び梯子部４を水平板部分２０の上面と平行になるまで水平支軸６、７によって回動させることにより、図６（Ｃ）に示す如く、梯子装置１をコンパクトな偏平箱形形態に収納可能な形態に変形させることができる。このような形態にした梯子装置１は、図６（Ｃ）に示す如く、他の梯子装置１（破線で示す）とともに積み重ねることができるので、収納、保管、輸送等において極めて有利である。
【００４２】
次に、上記梯子装置１の使用方法について説明する。
【００４３】
工事対象のベランダＢに昇降する上で最適な位置には、図１に示すブラケットＪ及び鋼製踏板Ｎが設置される。作業者等は、図６（Ｃ）に示すようにコンパクトな状態の梯子装置１を手作業で設置位置に移動し、図５に示す如く、踏板部２を鋼製踏板Ｎ上に載置し、固定具８を締付け、これにより、踏板部２を鋼製踏板Ｎ上に固定する。作業者等は又、水平支軸７によって手掛り棒３を図２に示す如く鉛直位置に起立させ、係止ピン３２（図４（Ｂ））をブラケット組立体２６の保持部３１および手掛り棒３の基部３０（図４（Ｂ））に挿通することにより、手掛り棒３を起立位置又は立設位置に固定する。作業者等は更に、梯子部４を収納位置に保持する係止ピン等（図示せず）を解放し、水平支軸６によって梯子部４を回動させるとともに、内管４３を外管４２から延出させて梯子部４の伸長量Δｈを調整し、接地部５をベランダＢの床Ｆに接地させる。かくして、図１及び図２に示す如く、上部が鋼製踏板Ｎによって支持され且つ下部が床Ｆによって支持された昇降移動用の梯子が仮設足場Ｃと床Ｆとの間に形成される。なお、踏板部２の固定、手掛り棒３の回動および梯子部４の回動・伸長の順番は、特に限定されるものではなく、周囲の状況に応じて適切な手順で実施すれば良い。
【００４４】
作業終了時には、初期設置時と逆の手順で梯子装置１を撤去すれば良く、具体的には、水平支軸６によって梯子部４を回動させ且つ内管４３を外管４２内に引き込んで梯子部４の全長を短縮し、水平支軸７によって手掛り棒３を回動させ、固定具８の締付け力を解放して踏板部２を鋼製踏板Ｎから解放することより、梯子装置１を仮設足場Ｃから撤去することができる。なお、この手順も又、特に限定されるものではなく、周囲の状況に応じて適切な手順で実施すれば良い。
【００４５】
ベランダＢの工事が数日又は数週間に及ぶ場合には、日々の作業終了後に梯子装置１を撤去せず、図２に破線で示す如く、水平支軸６によって梯子部４を上方に回動させ、ベランダＢから退避させ、翌朝の作業開始時に水平支軸６によって梯子部４を下方に回動させ、接地部５をベランダＢの床Ｆに接地させれば良い。なお、梯子部４の退避及び再設置の際、梯子部４の回動と関連して、梯子部４の全長を適宜調節しても良い。
【００４６】
以上説明したとおり、上記構成の梯子装置１は、仮設足場Ｃの鋼製踏板Ｎに着脱可能に取付けられる踏板部２と、踏板部２に回動可能に支持され、使用時に起立位置に固定される手掛り棒３と、踏板部２に回動可能に支持され、使用時にベランダＢの床Ｆに接地する長さ調節可能な梯子部４とを有し、梯子部４は、過渡的な不使用時に上方に回動してベランダＢの屋外側に退避することができる。
【００４７】
このような梯子装置１は、仮設足場Ｃ及び床Ｆによって支持され、手摺Ｄから離間するので、手摺Ｄには、梯子装置１の荷重又は負荷が作用しない。また、梯子装置１は、作業終了時又は作業開始時に梯子部４を上方又は下方に回動させることにより、ベランダＢから退避し又はベランダＢに設置し得る構造を有する。従って、このような梯子装置１によれば、改修工事等が数日又は数週間に及ぶ場合、梯子装置１を日々の作業終了時に簡易に回収するとともに、日々の作業開始時に簡易に再設置することができる。
【００４８】
図７及び図８は、本発明の他の実施形態に係る工事用梯子装置の全体構成及び使用形態を示す側面図及び平面図である。図７及び図８には、ベランダに設置した梯子装置を回収・撤去する過程が段階的に示されている。なお、図７及び図８において、前述の実施形態の各構成要素又は構成部材と実質的に同一又は同等の構成要素又は構成部材については、同一の参照符号が付されている。
【００４９】
図７（Ａ）には、梯子装置１をベランダＢの床Ｆに設置した状態が示されている。踏板部２は、仮設足場の鋼製踏板Ｎに支持され、梯子部４の接地部５が床Ｆの上面に接地して床Ｆに支承されている。梯子装置１は、梯子部４を上下動可能に支持する支持具９を有する。支持具９は、梯子部４を上下方向に相対変位可能又はスライド可能に支持しており、梯子部４は、図７（Ｂ）及び図７（Ｃ）に示す如く、不使用時に床Ｆの上方域に移動することができる。また、支持具９は、水平軸線を中心に回動可能に踏板部２に支持されており、梯子部４は、撤去時には、図８に示す如く、踏板部２の上面と平行な位置に回動することができる。
【００５０】
支持具９は、踏板部２に水平に支持された固定軸９０と、固定軸９０の水平軸線を中心に固定軸９０によって回動可能に支持された梯子保持部９１とを有する。固定軸９０は、踏板部２に突設されたブラケットに固定される。梯子保持部９１は、梯子部４の支柱４０が貫通する方形開口部を有し、支柱４０は、梯子保持部９１によって上下動可能又はスライド可能に支持される。
【００５１】
支持具９は、梯子保持部９１に対する梯子部４の上下動を拘束する係止具９２を備える。係止具９２は、梯子部４を下方に移動させた位置において支柱４０を支持具９に固定することができる。係止具９２に係止する複数の係止孔等が支柱４０に設けられ、支持具９に対する支柱４０の固定位置は、床Ｆと踏板部２との高さ関係に応じて段階的に調節することができる。
【００５２】
支持具９は更に、固定軸９０に対する梯子保持部９１の回動を拘束する係止具９３を備える。係止具９３は、踏板部２に対する支柱４０の角度を固定するためのものであり、支柱４０の角度は、図７（Ａ）に示す傾斜位置、図７（Ｂ）に示す垂直位置、或いは、図８に示す水平位置において固定することができる。
【００５３】
手掛り棒３は、水平支軸７によって支柱４０に枢着しており、支軸７の水平軸線を中心に図７（Ａ）に矢印αで示す如く回動する。支柱４０は、手掛り棒３を垂直位置に固定するための位置固定手段（図示せず）を有する。梯子装置１の使用時には、図７（Ａ）に示す垂直位置に起立させ、梯子装置１の不使用時には、固定手段を解放し、図７（Ａ）に矢印αで示すように手掛り棒３を下方に回動させることができる。支柱４０は、下方に回動した手掛り棒３を支柱４０と平行な位置（図７（Ｂ））で固定する位置固定手段（図示せず）を有する。
【００５４】
作業終了時には、図７（Ａ）に矢印αで示すように手掛り棒３を下方に回動させるとともに、係止具９２、９３を解放し、図７（Ａ）及び図７（Ｂ）に矢印β、η、γで示すように梯子部４を上方に上昇させながら鉛直方向に回動させることにより、図７（Ｃ）に示すように上方に退避させることができる。例えば、工事が数日間に及ぶ場合、日々の作業終了後に梯子部４を床Ｆの上方域に退避させ、翌朝の作業開始時に梯子部４を下方に移動させて傾斜させ、図７（Ａ）に示す使用位置において係止具９２、９３を締付けて梯子部４の位置を固定すれば良い。
【００５５】
また、工事終了後に梯子装置１を撤去する場合には、図７（Ａ）及び図７（Ｂ）にに矢印α、β、η、γで示すように梯子部４を上方に引き上げ且つ手掛り棒３を支柱４０と平行な位置に固定した後、図７（Ｃ）に矢印εで示すように支柱４０を屋外側に回動させ、しかる後、図８に矢印φで示す如く、支柱４０を水平移動させるとともに、固定具８の締付け力を解放して踏板部２を鋼製踏板Ｎから解放し、これにより、梯子装置１を仮設足場から撤去することができる。なお、梯子装置１を新たにベランダＢに設置する場合には、この手順と逆の手順で設置作業を実施すれば良い。
【００５６】
かくして、本実施形態に係る梯子装置１も又、鋼製踏板Ｎ及び床Ｆによって支持され、手摺Ｄから離間するので、手摺Ｄには、梯子装置１の荷重又は負荷が作用せず、しかも、梯子装置１は、作業終了時又は作業開始時に梯子部４を上方に移動させることにより、ベランダＢから退避し又はベランダＢに設置し得る構造を有する。従って、このような梯子装置１によれば、改修工事等が数日又は数週間に及ぶ場合、梯子装置１を日々の作業終了時に簡易に回収するとともに、日々の作業開始時に簡易に再設置することができる。
【００５７】
以上、本発明の好適な実施形態について詳細に説明したが、本発明は上記実施形態に限定されるものではなく、特許請求の範囲に記載された本発明の範囲内で種々の変形又は変更が可能である。
【００５８】
例えば、上記実施形態では、仮設足場を枠組足場として説明したが、本発明の梯子装置は、単管足場、楔足場等の他の形式の仮設足場にも同様に適用し得るものであり、また、梯子装置の踏板部は、アルミニウム製、木製、鋼製足場板等に各種足場板に装着し得るように適宜調整し又は設計変更することが可能である。
【００５９】
また、上記実施形態では、梯子構成要素（側桁、踏み板、手摺り組立体等）の主要部は、アルミニウム合金製の部材・部品等からなるものとして説明したが、他の合金製部品や、鋼製部品、或いは、樹脂製部品等によって梯子構成要素を製作しても良い。
【００６０】
更に、梯子構成要素の形状、各部構造及び寸法等は、梯子装置の使用形態に相応して適宜設計変更し得るものである。例えば、上記実施形態は、ベランダの手摺と関連した梯子について説明したが、本発明の梯子装置は、屋上のパラペット部や、比較的低い設計の手摺又はフェンス等を跨ぐために使用することができ、そのような場合には、各部寸法等は、用途に適した寸法に設計変更し得ると考えられる。
【産業上の利用可能性】
【００６１】
本発明は、集合住宅の改修工事等において仮設足場と建築物のベランダ等との間に設置される昇降移動用の梯子装置に適用される。本発明の梯子装置は、建築物の手摺から離間して手摺に荷重又は負荷を課さず、しかも、日々の作業終了時に簡易に回収し且つ作業開始時に簡易に再設置し得る構造を有するので、実用的に極めて有利である。
【符号の説明】
【００６２】
１    梯子装置
２    踏板部
３    手掛り棒
４    梯子部
５    接地部
６、７    水平支軸
８    固定具
９    支持具
Ａ    建築物
Ｂ    ベランダ
Ｃ    仮設足場
Ｄ    手摺
Ｅ    境界壁
Ｆ    床
Ｋ    建枠
Ｍ、Ｎ    鋼製踏板
Ｊ    ブラケット
【図１】
2018009335.tif 000003
【図２】
2018009335.tif 000004
【図３】
2018009335.tif 000005
【図４】
2018009335.tif 000006
【図５】
2018009335.tif 000007
【図６】
2018009335.tif 000008
【図７】
2018009335.tif 000009
【図８】
2018009335.tif 000010